(57)【要約】【課題】強度を高めることが可能なレバー式コネクタを提供する。【解決手段】雄ハウジング２０と、初期位置から嵌合位置へ回動することにより雄ハウジング２０と雌ハウジング１０とを嵌合させるレバー５０と、を備え、雄ハウジング２０は、フード部２２と、雄ハウジング２０と雌ハウジング１０との嵌合方向に移動可能なムービングプレート３０を備え、レバー５０は、雄ハウジング２０の外面に沿う板部５１を有し、ムービングプレート３０は、フード部２２の内面に沿う壁部３３を有し、板部５１は、フード部２２に係止して嵌合位置側へのレバー５０の回動を制限する初期ロック部５４を有し、壁部３３は、雌ハウジング１０との当接により初期ロック部５４を係止解除方向に押圧するように変位可能なロック解除部３８を有し、ロック解除部３８が、細長いスリット３９で周囲と切り離されることにより形成されている。【選択図】図８
2018120728.tif 000002
【特許請求の範囲】
【請求項１】
タブ部を有する雄端子金具が収容される雄ハウジングと、
前記雄ハウジングに回動可能に取り付けられ、初期位置から嵌合位置へ回動することにより前記雄ハウジングと相手側の雌ハウジングとを嵌合させるレバーと、を備え、
前記雄ハウジングは、前記タブ部を包囲可能なフード部と、前記タブ部が貫通可能な貫通孔を有して前記雄ハウジングと前記雌ハウジングとの嵌合方向に移動可能なムービングプレートと、を備え、
前記レバーは、前記雄ハウジングの外面に沿う板部を有し、
前記ムービングプレートは、前記フード部の内面に沿うとともに前記雌ハウジングに外嵌可能な壁部を有し、
前記レバーの板部は、前記レバーが前記初期位置にあるときに前記フード部に係止して前記嵌合位置側への前記レバーの回動を制限する初期ロック部を有し、
前記ムービングプレートの壁部は、内側に嵌合された前記雌ハウジングとの当接により前記初期ロック部を係止解除方向に押圧するように変位可能なロック解除部を有し、前記ロック解除部が、細長いスリットで周囲と切り離されることにより形成されているレバー式コネクタ。
【請求項２】
前記ロック解除部が、前記壁部の内側に突出する突出部を有し、前記突出部に前記雌ハウジングの外面が当接することにより前記ロック解除部が変位するようになっている請求項１に記載のレバー式コネクタ。
【請求項３】
前記ロック解除部の突出部が、前記雌ハウジングの嵌合方向前側に向かって次第に突出量が増すように傾斜したテーパ面を備えている請求項２に記載のレバー式コネクタ。
【請求項４】
前記ロック解除部及び前記雌ハウジングが、互いに係止することで前記雌ハウジングの離脱を規制する離脱規制部を備えている請求項１ないし請求項３のいずれか一項に記載のレバー式コネクタ。
【発明の詳細な説明】
【技術分野】
【０００１】
本発明は、レバー式コネクタに関する。
【背景技術】
【０００２】
従来、タブ部を有する雄端子金具が収容された雄コネクタに、相手側の雌コネクタとの嵌合動作を行わしめるレバーが取り付けられたレバー式コネクタが知られている（例えば下記特許文献１）。レバーは、雄コネクタに回動可能に取り付けられており、レバーを初期位置から嵌合位置へ回動することにより両コネクタを正規嵌合することができる。雄コネクタには、雄端子金具のタブ部が貫通可能な貫通孔を有するムービングプレートが備えられている。ムービングプレートは、雄コネクタと雌コネクタとの嵌合が進むにつれてタブ部の先端側から根元側に移動可能とされている。雄コネクタのハウジングは、雌コネクタのハウジングに外嵌可能なフード部を有し、レバーは、フード部の両側面に沿う一対のアーム部を有している。ムービングプレートは、フード部の内部に収容されており、フード部の内面に沿うような筒状の周壁部を備えている。
【０００３】
レバーのアーム部には、レバーを初期位置に保持するための手段として機能する弾性係止片が設けられている。弾性係止片は、片持ち状をなし、その先端部に、フード部に係止可能な係止突起が突設されている。フード部には、係止突起が入り込み可能な第１溝部が形成されており、第１溝部に入り込んだ係止突起が第１溝部の周縁部に係止することで、レバーが初期位置に保持される。ムービングプレートの周壁部には、フード部の第１溝部に対応する位置に、第２溝部が形成されている。雌コネクタのハウジングを雄コネクタのフード部に内嵌すると、係止解除リブが第１溝部及び第２溝部に進入し、第１溝部内の係止突起と干渉して係止突起を第１溝部から外側へ押し出す。これにより、係止突起と第１溝部の周縁部との係止状態が解除され、レバーの嵌合位置側への回動が可能となる。
【先行技術文献】
【特許文献】
【０００４】
【特許文献１】特開２０１６−２１３０８１号公報
【発明の概要】
【発明が解決しようとする課題】
【０００５】
しかしながら、上記のような構成では、ムービングプレートに、雌コネクタの係止解除リブが通過可能な比較的大きな溝部（開口）を形成しなければならないので、強度を高めることが難しいという問題があった。
【０００６】
本発明は上記のような事情に基づいて完成されたものであって、強度を高めることが可能なレバー式コネクタを提供することを目的とする。
【課題を解決するための手段】
【０００７】
本発明のレバー式コネクタは、タブ部を有する雄端子金具が収容される雄ハウジングと、前記雄ハウジングに回動可能に取り付けられ、初期位置から嵌合位置へ回動することにより前記雄ハウジングと相手側の雌ハウジングとを嵌合させるレバーと、を備え、前記雄ハウジングは、前記タブ部を包囲可能なフード部と、前記タブ部が貫通可能な貫通孔を有して前記雄ハウジングと前記雌ハウジングとの嵌合方向に移動可能なムービングプレートと、を備え、前記レバーは、前記雄ハウジングの外面に沿う板部を有し、前記ムービングプレートは、前記フード部の内面に沿うとともに前記雌ハウジングに外嵌可能な壁部を有し、前記レバーの板部は、前記レバーが前記初期位置にあるときに前記フード部に係止して前記嵌合位置側への前記レバーの回動を制限する初期ロック部を有し、前記ムービングプレートの壁部は、内側に嵌合された前記雌ハウジングとの当接により前記初期ロック部を係止解除方向に押圧するように変位可能なロック解除部を有し、前記ロック解除部が、細長いスリットで周囲と切り離されることにより形成されているものである。
【発明の効果】
【０００８】
本発明によれば、ムービングプレートの壁部に、従来のような大きな溝部を形成しなくてよいから、強度を高めることができる。
【図面の簡単な説明】
【０００９】
【図１】本実施例におけるレバー式コネクタであって、雄コネクタと雌コネクタとが仮嵌合された状態を示す側面図
【図２】雄コネクタと雌コネクタとが正規嵌合された状態を示す側面図
【図３】雌ハウジングの正面図
【図４】雌ハウジングの側面図
【図５】雄コネクタの正面図
【図６】ムービングプレートの側面図
【図７】初期ロック部のロック状態を示す雄コネクタの一部拡大断面図であって、図５のＡ−Ａ位置における断面に相当する断面図
【図８】初期ロック部のロックが解除された状態を示すレバー式コネクタの一部拡大断面図であって、図５のＡ−Ａ位置における断面に相当する断面図
【図９】正規嵌合状態に至ったときのロック解除部を示すレバー式コネクタの一部拡大断面図であって、図５のＡ−Ａ位置における断面に相当する断面図
【発明を実施するための形態】
【００１０】
本発明の好ましい形態を以下に示す。
本発明のレバー式コネクタは、前記ロック解除部が、前記壁部の内側に突出する突出部を有し、前記突出部に前記雌ハウジングの外面が当接することにより前記ロック解除部が変位するようになっているものとしてもよい。このような構成によれば、雌ハウジングの外面に初期ロックを解除するための解除用のリブを突設しなくてよいから、雌ハウジングの構造を簡素化することができる。
【００１１】
また、本発明のレバー式コネクタは、前記ロック解除部の突出部が、前記雌ハウジングの嵌合方向前側に向かって次第に突出量が増すように傾斜したテーパ面を備えているものとしてもよい。このような構成によれば、雌ハウジングの前進に伴って次第にロック解除部の変位量が増すようになっているから、雄ハウジングと雌ハウジングとをスムーズに嵌合することができる。
【００１２】
また、本発明のレバー式コネクタは、前記ロック解除部及び前記雌ハウジングが、互いに係止することで前記雌ハウジングの離脱を規制する離脱規制部を備えているものとしてもよい。このような構成によれば、離脱規制部によって、レバー回動操作前の雌ハウジングの脱落を防ぐことができる。
【００１３】
＜実施例＞
以下、本発明を具体化した一実施例について、図１〜図９を参照しつつ詳細に説明する。
本実施例におけるレバー式コネクタは、互いに嵌合可能な一対の雄コネクタＭ及び雌コネクタＦと、雄コネクタＭ及び雌コネクタＦを嵌合または離脱する際に操作されるレバー５０とを備えている。以下、各構成部材において、両コネクタＭ，Ｆにおける嵌合面側（雄コネクタＭにおいては図１の左側、雌コネクタＦにおいては図１の右側）をそれぞれ前方とし、また、図１の上側を上方、下側を下方として説明する。
【００１４】
雌コネクタＦは、図示しない電線の端末部に接続された雌端子金具と、雌端子金具が収容される雌ハウジング１０とを備えている。
雌ハウジング１０は、合成樹脂製であって、図３に示すように、全体として横方向に長いブロック状をなし、内部に複数の雌端子金具を収容可能となっている。
【００１５】
雌ハウジング１０の左右両側面（長手方向の両端面）には、一対の突起部（以後、雌側突起部１１と称する）が設けられている。雌側突起部１１は、後述するムービングプレート３０の溝（以後、プレート溝３４と称する）に入り込み可能とされている。
【００１６】
雌側突起部１１の根元側の部分は、ムービングプレート３０の内側から外側へ貫通する貫通部１２とされている。貫通部１２は、図４に示すように、前後方向に長い長方形断面を有する角柱状をなしている。
【００１７】
雌側突起部１１の先端側の部分は、レバー５０のカム溝５８に係合可能なカムピンの一部を構成する第１カム部１３とされている。第１カム部１３は、後述するムービングプレート３０の第２カム部３５と嵌合し、第２カム部３５とともにカムピンを構成する。第１カム部１３の前後両面は、円弧状をなし、カムピンの外周面の一部を構成する。なお、第１カム部１３の前後方向の寸法は、貫通部１２の前後方向の寸法よりも若干小さい寸法となっている。
【００１８】
また、雌ハウジング１０の左右両側面には、レバー５０を回動操作する前に、雌コネクタＦと雄コネクタＭとを仮嵌合した状態において、雌コネクタＦの離脱を規制する離脱規制部Ｒが設けられている（図４参照）。離脱規制部Ｒについては、後ほど詳しく説明する。
【００１９】
雄コネクタＭは、図示しない電線の端末部に接続された雄端子金具と、雄端子金具が収容される雄ハウジング２０と、雄ハウジング２０に回動可能に取り付けられたレバー５０と、を備えている。
【００２０】
雄ハウジング２０は、合成樹脂製であって、複数の雄端子金具が収容される端子収容部２１と、雌ハウジング１０に外嵌可能なフード部２２とを備えている。フード部２２は、端子収容部２１から前方に突出した横方向に長い角筒状をなし、雄端子金具のタブ部Ｔを一括して包囲している（図５参照）。
【００２１】
雄ハウジング２０の左右両側面には、レバー５０の回動中心となる支持軸２４が設けられている（図１参照）。支持軸２４は、雄ハウジング２０の左右両側面に同軸状に突設されている。支持軸２４は、雄ハウジング２０の左右両側面において前後方向及び上下方向の略中心に位置している。
【００２２】
雄ハウジング２０には、嵌合位置に達したレバー５０の初期位置側への回動を規制するロック機構２０Ｒが設けられている。ロック機構２０Ｒは、雄ハウジング２０の前端上側の角部に設けられている。
【００２３】
フード部２２の左右両側壁には、図５に示すように、後述するムービングプレート３０に設けられた突起部（以後、雄側突起部２３と称する）と、レバー５０の初期ロック部５４に設けられたロック突起５５及びムービングプレート３０のロック解除部３８に設けられた解除突起４２とが入り込み可能な溝部２５が設けられている。溝部２５は、フード部２２の内周面に凹み形成されるとともに前後方向に貫通している。
【００２４】
溝部２５のうちロック突起５５及び解除突起４２が入り込み可能な部分（以後、初期ロック用溝２５Ａと称する）は、溝部２５の下端部に設けられている。初期ロック用溝２５Ａの深さ寸法（図５の左右方向の寸法）は、雄側突起部２３が入り込む部分（以後、溝本体２５Ｂと称する）の深さ寸法より小さくされている。初期ロック用溝２５Ａは、図７に示すように、フード部２２の奥端近傍まで延びている。初期ロック用溝２５Ａの周面（下面）が、初期ロック部５４との係止面２６となっている。
【００２５】
溝本体２５Ｂの上面には、図５に示すように、後述する雄側突起部２３の立片部３７が入り込む細溝２７が設けられている。細溝２７は、溝本体２５Ｂの上面に略垂直に切り込まれた形態をなしている。細溝２７の内側には、立片部３７の内側に沿って内壁部２８が設けられている。内壁部２８は、フード部２２の全長に設けられ、ムービングプレート３０の前後移動をガイド可能とされている。
【００２６】
フード部２２の内側には、ムービングプレート３０が取り付けられている。ムービングプレート３０は、タブ部Ｔが貫通可能な貫通孔３１を有し、雄コネクタＭと雌コネクタＦとの嵌合が進むにつれてタブ部Ｔの先端側から根元側（フード部２２の奥側）に移動可能とされている。
【００２７】
ムービングプレート３０は、合成樹脂製であって、複数の貫通孔３１が形成されたプレート本体部３２と、フード部２２の内周面に沿う壁部３３とを有している。プレート本体部３２は、横方向に長い略長方形状の板状をなし、壁部３３は、プレート本体部３２の外縁部から前方に角筒状をなして突出している。
【００２８】
ムービングプレート３０の両側面（壁部３３の両側面）には、一対の雄側突起部２３が設けられている（図５及び図６参照）。雄側突起部２３には、前方に開放された形態のプレート溝３４が、前後方向に長く延びて形成されている。プレート溝３４には、雌ハウジング１０の雌側突起部１１が前方から入り込み可能とされている。
【００２９】
雄側突起部２３の後端部には、レバー５０のカム溝５８に係合可能なカムピンの一部を構成する第２カム部３５が設けられている。第２カム部３５は、雄側突起部２３の後端部に突設されている。第２カム部３５の外形は、略円柱形とされている。第２カム部３５の内部には、雌側突起部１１の第１カム部１３が前方から入り込み可能な受け部３６が設けられている。第２カム部３５は、プレート溝３４の後端部に立設され、受け部３６はプレート溝３４に連通している。
【００３０】
雄側突起部２３の上面には、雄側突起部２３の全長にわたって立片部３７が略垂直に立ち上がっている。立片部３７は、壁部３３の外面に対して略平行をなしている。
【００３１】
ムービングプレート３０の壁部３３には、後述するレバー５０の初期ロック部５４を係止解除方向に押圧するように変位可能なロック解除部３８が形成されている（図６参照）。ロック解除部３８については、後ほど詳しく説明する。
【００３２】
レバー５０は、合成樹脂製であって、フード部２２の左右両側面（外面）に沿う一対の板部５１と、一対の板部５１を連結する連結部５２とを備えている。板部５１には、雄ハウジング２０の左右両側面に設けられた支持軸２４に嵌合可能な軸受け５３が設けられている（図１参照）。軸受け５３は、支持軸２４が嵌合可能な孔である。
【００３３】
レバー５０は、支持軸２４を中心として、初期位置（図１参照）と、嵌合位置（図２参照）との間で回動し得る。レバー５０が初期位置から嵌合位置に回動することにより雄コネクタＭと雌コネクタＦとが正規嵌合する。レバー５０が初期位置にあるときには、連結部５２は雄ハウジング２０の後方上側に位置し、レバー５０が嵌合位置にあるときには、連結部５２は雄ハウジング２０の前端上側の角部に位置する。連結部５２には、レバー５０が嵌合位置に至ったときに雄ハウジング２０に係止してレバー５０の初期位置側への回動操作を規制するロック機構５０Ｒが設けられている。
【００３４】
レバー５０の板部５１には、レバー５０が初期位置にあるときにフード部２２の溝部２５に係止して嵌合位置側へのレバー５０の回動を制限する初期ロック部５４が設けられている。初期ロック部５４は、カム溝５８の入口近傍に設けられている。初期ロック部５４は、スリット３９によって他の部分と切り離された片持ち状をなし、板部５１の厚さ方向に弾性変位可能となっている。初期ロック部５４は、レバー５０の初期位置では、図１に示すように、上端側が自由端、下端側が基端となっている。初期ロック部５４の上端は、軸受け５３よりも下方に位置している。
【００３５】
初期ロック部５４には、図７に示すように、フード部２２の初期ロック用溝２５Ａに入り込んで係止面２６に係止可能なロック突起５５が設けられている。ロック突起５５は、初期ロック部５４の上端（自由端）の内側に突設され、ロック突起５５の下面が、初期ロック用溝２５Ａの係止面２６に係止する。ロック突起５５は、初期ロック用溝２５Ａの後端部よりも前方の部位に入り込み、初期ロック用溝２５Ａの後端部には空間部２９があいた状態になる。ロック突起５５の前面５６は、後方に向かって次第に突出量が増す傾斜面とされ、ロック突起５５の突出面５７は、前後方向に対して略平行な平坦面とされている。
【００３６】
さて、ムービングプレート３０には、初期ロック部５４を係止解除方向に押圧するように変位可能なロック解除部３８が設けられている。ロック解除部３８は、図６に示すように、ムービングプレート３０の壁部３３に細長いスリット３９で周囲と切り離されることにより形成されている。ロック解除部３８は、壁部３３の後端から前方に延びる一対の細長いスリット３９の間の部分であり、一対のスリット３９は互いに略平行をなしている。一対のスリット３９のうち一方のスリット３９は、雄側突起部２３の下縁に沿って延びている。
【００３７】
ロック解除部３８は、前端側が基端、後端側が自由端の片持ち状をなし、壁部３３の内外方向に弾性変位可能とされている。
ロック解除部３８は、図７に示すように、壁部３３と同等の厚さ寸法を有して前後方向に延びる延長部４１と、延長部４１の後端（自由端）に外向きに突設された解除突起４２とを備えている。延長部４１は、レバー５０が初期位置にある状態では、初期ロック部５４と略直交方向に延びている。
【００３８】
解除突起４２は、延長部４１の弾性変位に伴って初期ロック部５４のロック突起５５を押圧可能とされている。解除突起４２は、山状をなし、解除突起４２の前後両面は傾斜している。ロック解除部３８が変位して初期ロックが解除された状態では、図８に示すように、解除突起４２の後面４３が、ロック突起５５の突出面５７に当接した状態で、前後方向に略平行になる。
【００３９】
ロック解除部３８は、壁部３３の内側に突出する突出部４４を有している。突出部４４に雌ハウジング１０の外面が当接することによりロック解除部３８が壁部３３の外側に変位するようになっている。
【００４０】
突出部４４は、延長部４１の後端部に設けられ、延長部４１の全幅（上下方向の幅）にわたって突出した形態をなすとともに、解除突起４２よりも前後方向に広い範囲に形成されている（図７参照）。
【００４１】
突出部４４の前面は、雌ハウジング１０の嵌合方向前側に向かって次第に突出量が増すようなテーパ面（以後、第１テーパ面４５と称する）とされている。第１テーパ面４５は、解除突起４２の傾斜面に比して緩い勾配とされている。
【００４２】
ロック解除部３８及び雌ハウジング１０には、図８に示すように、互いに係止することで雌ハウジング１０の離脱を規制する離脱規制部Ｒが備えられている。離脱規制部Ｒは、雄コネクタＭと雌コネクタＦとが仮嵌合された状態（カムピンがカム溝５８に入り込んだ状態であって、初期位置にあるレバー５０を嵌合位置側に回動する前の状態）で、互いに凹凸嵌合可能な凸部４６と凹部１４とを有している。
【００４３】
凸部４６は、ロック解除部３８に突設されている。凸部４６は、ロック解除部３８の突出部４４の突出端（突出部４４の前後の傾斜面が交差する部位）に設けられている。凸部４６は、突出部４４に比して幅寸法（図５の上下寸法）が小さく、突出部４４の幅方向における中央に位置している。凸部４６は山状をなし、凸部４６の前後両面は傾斜している。凸部４６の前側の傾斜面は、雌ハウジング１０の嵌合方向前側に向かって次第に突出量が増すようなテーパ面（以後、第２テーパ面４７と称する）とされている。第２テーパ面４７の傾斜は、第１テーパ面４５の傾斜よりきつい勾配とされている。
【００４４】
凹部１４は、雌ハウジング１０の左右両側面に凹み形成されている。凹部１４は、雌側突起部１１の下方に位置している（図４参照）。凹部１４は、凸部４６が嵌合可能な形状をなして凹んでおり、前後両面は傾斜している。凹部１４の前面は、図８に示すように、凸部４６の後面に引っ掛かり可能な掛止面１５とされている。掛止面１５は、前後方向に対して略直交に近い角度とされている。凹部１４の前面は、凸部４６から離れて配される逃げ面１６とされている。逃げ面１６は、掛止面１５に比して緩い傾斜とされている。
【００４５】
次に、本実施例におけるレバー式コネクタの嵌合作業の一例を説明する。
嵌合前の雄コネクタＭは、図７に示すように、ムービングプレート３０が初期位置（プレート本体部３２がフード部２２の奥面から前方に離れている位置）に保持され、タブ部Ｔの先端部が各貫通孔３１に支持されている。また、レバー５０は初期位置に配され、初期ロック部５４のロック突起５５がフード部２２に係止することによりレバー５０の回動が規制されている。このとき、初期ロック部５４は、弾性変形していない自然状態となっている。一方、ロック解除部３８の解除突起４２は、初期ロック部５４のロック突起５５の近傍に配され、ロック突起５５の突出面５７と解除突起４２の後面４３とが近接もしくは当接している。ロック解除部３８は、弾性変形していない自然状態となっている。また、ムービングプレート３０の第２カム部３５は、カム溝５８の入口に入り込んでいる。
【００４６】
まず、雄コネクタＭと雌コネクタＦとを仮嵌合する。雌コネクタＦを雄コネクタＭのフード部２２に嵌め入れると、雌ハウジング１０の外面がロック解除部３８の突出部４４の第１テーパ面４５に当接し、ロック解除部３８を次第に外側に弾性変位させる。これに伴いロック解除部３８の解除突起４２が初期ロック部５４のロック突起５５を外側に押し、初期ロック部５４が次第に外側に弾性変位する。やがて、雌ハウジング１０の外面は凸部４６の第２テーパ面４７に接触し、ロック解除部３８をさらに外側に弾性変位させる。そして、初期ロック部５４のロック突起５５は、全体が溝部２５から外側に出た状態になる。その後、図８に示すように、雌コネクタＦが仮嵌合位置に位置に至ると、雌ハウジング１０の凹部１４がロック解除部３８の凸部４６の位置に至り、凸部４６が凹部１４に嵌り込んで離脱規制部Ｒが機能する。これに伴い、ロック解除部３８及び初期ロック部５４は若干内側に変位する。しかしながらロック突起５５は、全体が溝部２５から出た状態になっている。こうして、初期ロック部５４のロック状態が解除され、雄コネクタＭと雌コネクタＦとが仮嵌合状態になる。
【００４７】
雌コネクタＦと雄コネクタＭとの仮嵌合状態では、雌ハウジング１０の前面とムービングプレート３０のプレート本体部３２とが近接または当接した状態になる。また、ムービングプレート３０のプレート溝３４に入って前進した雌ハウジング１０の雌側突起部１１が、プレート溝３４の後端部に至り、第１カム部１３が第２カム部３５の受け部３６に嵌合した状態になる。レバー５０が初期位置にあるときには、第２カム部３５の受け部３６から第１カム部１３が離脱可能となっているので、雌コネクタＦが自重等で落下してしまう虞がある。しかしながら本実施例の構成によれば、離脱規制部Ｒが機能しているので、そのような雌コネクタＦの離脱を防ぐことができる。
【００４８】
次に、レバー５０を嵌合位置へ回動する。連結部５２を前方に押し動かすと、レバー５０が回動し、カム溝５８の側縁部が第２カム部３５の受け部３６を塞いだ状態になり、雌コネクタＦの離脱が規制される。また、レバー５０の回動に伴って、雌コネクタＦとともにムービングプレート３０がフード部２２の奥側に移動し、初期ロック用溝２５Ａに入り込んでいる解除突起４２は、初期ロック用溝２５Ａ内を後方に進む。なお、凸部４６と凹部１４とは係止したままとなっている。
【００４９】
やがて、図９に示すように、雌コネクタＦ及びムービングプレート３０はフード部２２の奥端に至り、解除突起４２は初期ロック用溝２５Ａの空間部２９に入り込み、雄端子金具と雌端子金具とが電気的に接続される。レバー５０は嵌合位置に至り、レバー５０のロック機構５０Ｒと雄ハウジング２０のロック機構２０Ｒとが作動し、レバー５０の初期位置側への戻りが規制される。こうして、雄コネクタＭと雌コネクタＦとが正規の嵌合状態になる。
【００５０】
次に、上記のように構成された実施例の作用および効果について説明する。
本実施例のレバー式コネクタは、タブ部Ｔを有する雄端子金具が収容される雄ハウジング２０と、雄ハウジング２０に回動可能に取り付けられ、初期位置から嵌合位置へ回動することにより雄ハウジング２０と雌ハウジング１０とを嵌合させるレバー５０と、を備えている。雄ハウジング２０は、タブ部Ｔを包囲可能なフード部２２と、タブ部Ｔが貫通可能な貫通孔３１を有して雄ハウジング２０と雌ハウジング１０との嵌合方向に移動可能なムービングプレート３０と、を備えている。レバー５０は、雄ハウジング２０の外面に沿う板部５１を有し、ムービングプレート３０は、フード部２２の内面に沿うとともに雌ハウジング１０に外嵌可能な壁部３３を有している。レバー５０の板部５１には、レバー５０が初期位置にあるときにフード部２２に係止して嵌合位置側へのレバー５０の回動を制限する初期ロック部５４が設けられ、ムービングプレート３０の壁部３３には、内側に嵌合された雌ハウジング１０との当接により初期ロック部５４を係止解除方向に押圧するように変位可能なロック解除部３８が、細長いスリット３９で周囲と切り離されることにより形成されている。この構成によれば、ムービングプレート３０の壁部３３に、従来のような大きな溝部を形成しなくてよいから、強度を高めることができる。よって、ムービングプレート３０の強度が不足するという懸念を解消することができる。
【００５１】
また、ロック解除部３８が、壁部３３の内側に突出する突出部４４を有し、突出部４４に雌ハウジング１０の外面が当接することによりロック解除部３８が変位するようになっている。ここで、従来のように、雌ハウジングの側面に初期ロックを解除するための解除用のリブを設ける場合には、雌ハウジングの落下時等に当該リブが破損する虞があるところ、本実施例によれば、雌ハウジング１０の外面にそのようなリブを設けなくてもよいから、落下時等に雌ハウジングの一部が破損する虞をなくすことができる。また、雌ハウジング１０に解除用のリブを設けなくてもよいから、雌ハウジング１０の構造を簡素化することができる。
【００５２】
また、ロック解除部３８の突出部４４が、雌ハウジング１０の嵌合方向前側に向かって次第に突出量が増すような第１テーパ面４５を備えている。この構成によれば、雌ハウジング１０の前進に伴って次第にロック解除部３８の変位量が増すようになっているから、雄ハウジング２０と雌ハウジング１０とをスムーズに嵌合することができる。
【００５３】
また、ロック解除部３８及び雌ハウジング１０が、互いに係止することで雌ハウジング１０の離脱を規制する離脱規制部Ｒを備えている。この構成によれば、離脱規制部Ｒによって、レバー回動操作前の雌ハウジング１０の脱落を防ぐことができる。よって、レバー式コネクタの嵌合作業性を向上することができる。
【００５４】
＜他の実施例＞
本発明は上記記述及び図面によって説明した実施例に限定されるものではなく、例えば次のような実施例も本発明の技術的範囲に含まれる。
（１）上記実施例では、初期ロック部５４及びロック解除部３８は片持ち状とされているが、これに限らず、これらはいずれも両持ち状であってもよい。
（２）上記実施例では、ロック解除部３８に突出部４４が設けられているが、これに限らず、例えばロック解除部に突出部を設けず、雌ハウジング側に突出部を設けてもよい。このような場合であっても、突出部の突出寸法を従来の解除用リブより小さくすることができるから、落下等で破損しにくくすることができる。
（３）上記実施例では、離脱規制部Ｒの凸部４６をロック解除部３８に設け、凹部１４を雌ハウジング１０に設けたが、これに限らず、例えば凸部を雌ハウジングに設け、凹部をロック解除部に設けてもよい。
【符号の説明】
【００５５】
Ｒ…離脱規制部
Ｔ…タブ部
１０…雌ハウジング
２０…雄ハウジング
２２…フード部
３０…ムービングプレート
３１…貫通孔
３３…壁部
３８…ロック解除部
３９…スリット
４４…突出部
４５…第１テーパ面
５０…レバー
５１…板部
５４…初期ロック部
【図１】
2018120728.tif 000003
【図２】
2018120728.tif 000004
【図３】
2018120728.tif 000005
【図４】
2018120728.tif 000006
【図５】
2018120728.tif 000007
【図６】
2018120728.tif 000008
【図７】
2018120728.tif 000009
【図８】
2018120728.tif 000010
【図９】
2018120728.tif 000011